(57)【要約】【課題】  食餌体の容器本体への取り付けを容易にするとともに、より多くのアリを効率良く誘引して駆除することができるアリ用毒餌剤容器を提供する。【解決手段】  アリ用の侵入口１５を有し、当該侵入口１５を介して内部と外部とが連通された容器本体１１と、容器本体１１内に配置された毒餌剤２と、アリ３を容器本体１１の外部から毒餌剤２へ誘導するための、容器本体１１に取り付け可能な食餌体２０と、を備えるアリ用毒餌剤容器１０であって、  容器本体１１に、食餌体２０を挿通可能な挿通口１７と、該挿通口１７から侵入口１５付近まで延設された切り欠き溝１６と、を設け、挿通口１７が、切り欠き溝１６に向かうに従って次第に狭まるテーパ状に形成されており、食餌体２０が、容器本体１１に取り付けられるとき、挿通口１７を通して一部を容器本体１１内に収容された状態で切り欠き溝１６に差し込まれて係止される。【選択図】  図１
2006094745.tif 000002
【特許請求の範囲】
【請求項１】
アリ用の侵入口を有し、当該侵入口を介して内部と外部とが連通された容器本体と、
前記容器本体内に配置された毒餌剤と、
アリを前記容器本体の外部から前記毒餌剤へ誘導するための、前記容器本体に取り付け可能な食餌体と、
を備えるアリ用毒餌剤容器であって、
前記容器本体に、前記食餌体を挿通可能な挿通口と、該挿通口から前記侵入口付近まで延設された切り欠き溝と、を設け
前記挿通口が、前記切り欠き溝に向かうに従って次第に狭まるテーパ状に形成されており、
前記食餌体が、前記容器本体に取り付けられるとき、前記挿通口を通して一部を前記容器本体内に収容された状態で前記切り欠き溝に差し込まれて係止されることを特徴とするアリ用毒餌剤容器。
【請求項２】
前記食餌体が、多数個の部材を連結してなる、可撓性を有する紐状または帯状部材であって、
隣り合う前記部材を連結している連結部が、前記食餌体の長手方向に垂直な断面において前記部材よりも細く形成されており、
前記切り欠き溝が、前記食餌体の前記連結部の太さよりも幅広に且つ、前記食餌体の前記部材の太さよりも幅狭に形成されており、
前記食餌体が、前記容器本体に取り付けられるとき、前記連結部を前記切り欠き溝に差し込まれて係止されることを特徴とする請求項１に記載のアリ用毒餌剤容器。
【請求項３】
前記挿通口が、前記容器本体の天井壁に、若しくは、前記容器本体の天井壁と該天井壁の周縁部に接続している前記容器本体の外周壁とにまたがって形成されていることを特徴とする請求項１または請求項２に記載のアリ用毒餌剤容器。
【請求項４】
前記侵入口が前記容器本体に複数設けられており、
前記切り欠き溝が、前記複数の侵入口付近にそれぞれ設けられていることを特徴とする請求項１〜請求項３のいずれかに記載のアリ用毒餌剤容器。
【発明の詳細な説明】
【技術分野】
【０００１】
本発明は、アリ（蟻）を効果的に防除するためのアリ用毒餌剤容器の改良に関する。
【背景技術】
【０００２】
社会的昆虫であるアリを効果的に防除するためのアリ用毒餌剤容器は従来から知られている（例えば、特許文献１参照）。
特許文献１に開示されたアリ用毒餌剤容器１００はシロアリの生息状況の把握や駆除に用いられるものであり、図１２に示されるように、シロアリが出入り可能な開口部１０１を形成された本体１０２と、本体１０２の上面開口を密閉可能な蓋１０３とを有し、容器内にシロアリ用の誘引剤（毒餌剤）１０４を収容している。そして、外部から内部を目視可能とするために容器の一部または全体を透視性素材により形成し、誘引剤１０４に誘引されて開口部１０１を介して容器内に侵入したシロアリを容器外より観察可能としたものである。
【０００３】
そして、このアリ用毒餌剤容器１００は、シロアリの餌となる段ボール紙を筒状に巻いて湿らせた導入補助誘引剤１０５を有しており、導入補助誘引剤１０５の一方の端部を開口部１０１に挿入し、他方の端部を蟻道に接触または接近させておき、この導入補助誘引剤１０５を介して装置の周囲に徘徊するシロアリを容器外に逸れることなく確実に装置内へ誘導し、または営巣するようにして、シロアリの群れ全体をまたは多数を駆除するようにしている。
【特許文献１】特開２００４−１１２１０３号公報
【発明の開示】
【発明が解決しようとする課題】
【０００４】
しかしながら、上記の導入補助誘引剤１０５は、湿らせた段ボール紙を筒状に巻き、一方の端部を開口部１０１に挿入してアリ用毒餌剤容器１００に取り付けられるため、この導入補助誘引剤１０５をアリ用毒餌剤容器１００に確実に固定するためには、導入補助誘引剤１０５の前記一方の端部を、開口部１０１に嵌合させる必要があり、よって、導入補助誘引剤１０５のアリ用毒餌剤容器１００への取り付け（開口部１０１への挿入）が面倒であった。
【０００５】
さらに、導入補助誘引剤１０５が開口部１０１をほぼ占有してしまい、容器内へのシロアリの出入りを導入補助誘引剤１０５の他方の端部からのみに限定してしまう（つまり、開口部１０１近傍における出入りを阻害する）ものであり、よって、導入補助誘引剤１０５の前記他方の端部（開口部１０１に差し込まれた前記端部とは他方の端部）が蟻道に接触または接近していない場合にシロアリを容器内へ効率良く誘引することができない（換言すれば、蟻道の形成箇所が未確認の場合には使用できない）虞があった。
【０００６】
さらに、従来のアリ用毒餌剤容器１００は、シロアリの生息状況の把握、即ち、シロアリの検知を目的とし、誘引されたシロアリを容器内において営巣させるものであるが、これに対し、本発明が防除の対象とするアリは、餌を見つけた場合にその場で餌を食べることは当然であるが、その一部を巣に持ち帰って餌の情報を仲間のアリに伝えるといった習性を有する、例えばルリアリ、イエヒメアリなどのアリであり、上記の習性を利用して、より多数のアリを毒餌剤容器に誘引し駆除するためには、開口部を介したアリの出入りを妨げないようにする必要があった。
【０００７】
本発明は、前述した課題に鑑みてなされたものであり、その目的は、食餌体の容器本体への取り付けを容易にするとともに、より多くのアリを効率良く誘引して駆除することができるアリ用毒餌剤容器を提供することにある。
【課題を解決するための手段】
【０００８】
前述した目的を達成するため、本発明に係るアリ用毒餌剤容器は、下記（１）〜（４）を特徴としている。
【０００９】
（１）  アリ用の侵入口を有し、当該侵入口を介して内部と外部とが連通された容器本体と、
前記容器本体内に配置された毒餌剤と、
アリを前記容器本体の外部から前記毒餌剤へ誘導するための、前記容器本体に取り付け可能な食餌体と、
を備えるアリ用毒餌剤容器であって、
前記容器本体に、前記食餌体を挿通可能な挿通口と、該挿通口から前記侵入口付近まで延設された切り欠き溝と、を設け
前記挿通口が、前記切り欠き溝に向かうに従って次第に狭まるテーパ状に形成されており、
前記食餌体が、前記容器本体に取り付けられるとき、前記挿通口を通して一部を前記容器本体内に収容された状態で前記切り欠き溝に差し込まれて係止されること。
【００１０】
（２）  上記（１）に記載のアリ用毒餌剤容器において、
前記食餌体が、多数個の部材を連結してなる、可撓性を有する紐状または帯状部材であって、
隣り合う前記部材を連結している連結部が、前記食餌体の長手方向に垂直な断面において前記部材よりも細く形成されており、
前記切り欠き溝が、前記食餌体の前記連結部の太さよりも幅広に且つ、前記食餌体の前記部材の太さよりも幅狭に形成されており、
前記食餌体が、前記容器本体に取り付けられるとき、前記連結部を前記切り欠き溝に差し込まれて係止されること。
【００１１】
（３）  上記（１）または（２）に記載のアリ用毒餌剤容器において、
前記挿通口が、前記容器本体の天井壁に、若しくは、前記容器本体の天井壁と該天井壁の周縁部に接続している前記容器本体の外周壁とにまたがって形成されていること。
【００１２】
（４）  上記（１）〜（３）のいずれかに記載のアリ用毒餌剤容器において、
前記侵入口が前記容器本体に複数設けられており、
前記切り欠き溝が、前記複数の侵入口付近にそれぞれ設けられていること。
【００１３】
上記（１）に記載のアリ用毒餌剤容器によれば、容器本体の外部から毒餌剤へアリを誘導するための食餌体は、容器本体に設けられた挿通口を通して一部を容器本体内に収容された状態で、挿通口から侵入口付近まで延設された切り欠き溝に差し込まれて係止され、容器本体に取り付けられる。そして、挿通口が、切り欠き溝に向かうに従って次第に狭まるテーパ状に形成されているので、食餌体を挿通口に挿通して切り欠き溝にスムースに差し込むことができ、食餌体を容器本体に容易に取り付けることができる。
【００１４】
また、食餌体の取り付け位置が、アリの侵入口ではなく侵入口付近に設けられた切り欠き溝であるので、食餌体により侵入口の一部がふさがれてしまうことがなく、侵入口を介したアリの出入りを阻害することがない。これにより、食餌体によって誘引されたアリを確実に侵入口に誘導し、侵入口を介して容器本体内に侵入させることができるとともに、侵入口を介して容器本体内から毒餌剤を外部へ容易に持ち出させることができ、より多くのアリを効率良く誘引して駆除することができる。
【００１５】
上記（２）に記載のアリ用毒餌剤容器によれば、食餌体が可撓性を有する（換言すれば、剛性が弱く、即ち、腰（コシ）が弱く、或いは腰（コシ）が無い）紐状または帯状部材であるので、容易に変形させることができる。従って、アリ用毒餌剤容器の設置場所が、砂利や小石が多い場所、岩場、枯草が多く落ちている場所、段差のある場所、凹凸のある地面、等であっても、食餌体が配置された場所の形状（起伏）に沿って食餌体自身が自然に変形し、配置箇所の表面に密着させて配置することができる。これにより、食餌体２０の配置箇所の表面を活動しているアリが食餌体に接触する頻度が高くなり、効率的にアリをアリ用毒餌剤容器に誘引することができる。
【００１６】
また、食餌体が多数個の部材を連結してなり、隣り合う前記部材を連結している連結部が食餌体の長手方向に垂直な断面において前記部材よりも細く形成されており、さらに、切り欠き溝が食餌体の前記連結部の太さよりも幅広に且つ前記食餌体の前記部材の太さよりも幅狭に形成されているので、連結部を切り欠き溝にスムースに差し込むことができると共に、切り欠き溝に差し込まれた連結部に隣接している前記部材が切り欠き溝の両側縁部に係合して食餌体の抜け止めがなされる。これにより、食餌体を容器本体に容易に且つ確実に取り付けることができる。さらに、任意の箇所の連結部を切り欠き溝に差し込むことにより、容器本体の外部に配置される食餌体の長さをアリ用毒餌剤容器の設置場所に応じて適宜変更することができる。
【００１７】
上記（３）に記載のアリ用毒餌剤容器によれば、挿通口が、容器本体の天井壁に、若しくは、容器本体の天井壁と該天井壁の周縁部に接続している容器本体の外周壁とにまたがって形成されているので、容器本体が予め設置された状態においても、食餌体を挿通口に容易に挿通させることができ、これにより、食餌体を容器本体に容易に取り付けることができる。特に、食餌体が可撓性を有する紐状または帯状部材である場合には、挿通口の上方において食餌体を垂らしながら挿通させることができ、有効である。
【００１８】
上記（４）に記載のアリ用毒餌剤容器によれば、侵入口が前記容器本体に複数設けられており、切り欠き溝が複数の侵入口付近にそれぞれ設けられているので、食餌体を使用場面（例えば、アリ用毒餌剤容器の設置場所など）に応じて、必要なとき、必要な箇所に、簡便に取り付けることができる。
【発明の効果】
【００１９】
食餌体の容器本体への取り付けを容易にするとともに、より多くのアリを効率良く誘引して駆除することができるという効果を得ることができる。
【００２０】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００２１】
以下、本発明に係る複数の好適な実施形態を図面に基づいて詳細に説明する。
【００２２】
図１から図４は本発明に係るアリ用毒餌剤容器の一実施形態を示す図であり、詳しくは、図１はアリ用毒餌剤容器の外観斜視図、図２は食餌体を取り付けられた状態でのアリ用毒餌剤容器の横断面図、図３は図２に示すアリ用毒餌剤容器のIII−III矢視縦断面図、図４は図１に示す点線円IVで囲まれた部分の拡大図であって、容器本体への食餌体の取り付け方を説明するための図である。
【００２３】
図１に示すように、本発明のアリ用毒餌剤容器１０は、内部にアリ用毒餌剤２を収納している容器本体１１と、容器本体１１に取り付け可能な食餌体２０とを備えている。
【００２４】
容器本体１１は、略矩形状の底壁１３および該底壁１３の周縁部から上方に向けて突設された周壁１４ａを有するベース部１１ａと、底壁１３と同一形状の天井壁１２および該天井壁１２の周縁部から下方に向けて突設された周壁１４ｂを有するカバー部１１ｂとから構成されている。ベース部１１ａおよびカバー部１１ｂは、いずれも合成樹脂で形成（成形）されており、互いに分離可能とされている。ベース部１１ａにカバー部１１ｂが装着された際には、ベース部１１ａの周壁１４ａおよびカバー部１１ｂの周壁１４ｂは互いに接続され、容器本体１１の外周壁１４を形成する。
【００２５】
図２および図３を参照して、容器本体１１の内部には毒餌剤２を収納するための収納部１８が設けられている。収納部１８は、底壁１３の中央部において該底壁１３から容器本体１１の内部に向けて枠状に立設された内部壁１８ａと、該内部壁１８ａの上方周縁部から放射状に延設され、アリ３が登坂可能な程度に緩やかに傾斜して底壁１３に接続している傾斜壁１８ｂと、を有しており、内部壁１８ａの内側に毒餌剤２を収納するための収納空間１８ｃを画成している。
【００２６】
収納空間１８ｃには毒餌剤２が収納され、イージーピール部材１９（例えば、ナイロン１５μ、シーラント３０μ）が内部壁１８ａの上方端面の全周にわたって溶着されており、このイージーピール部材１９によって収納空間１８ｃが密封されている。
【００２７】
毒餌剤２としては速効性毒餌剤、遅効性となるように調整された速効性薬剤、または遅効性毒餌剤を用いることができるが、遅効性毒餌剤を毒餌剤２として用いることが望ましい。
【００２８】
速効性毒餌剤は、速効性殺虫薬剤に誘引剤および必要に応じて、増量剤、結合剤、着色剤、等を適宜配合して調整される。ここで代表的速効性殺虫薬剤としては、例えばジョチュウギクエキス、アレスリン、ｄ−Ｔ−８０−アレスリン、フタルスリン、レスメトリン、ｄ−Ｔ−８０−レスメトリン、フラメトリン、ｄ−Ｔ−８０−フラメトリン、フェノトリン、ペルメトリン、プラレトリン、トランスフルスリン、メトフルスリン、サイフェノトリン、サイペルメトリン、フェンバレート、プリンス、等のピレスロイド系殺虫剤、カルクロホス、ジクロルボス、ナレド、ダイアジノン、シアホス、クロルピリホスメチル、マラソン、トリクロルホン、ピリダフエンチオン、フエンクロホス、フエニトロチオン、プロモホス、等の有機リン系殺虫剤、プロポクサー、等のカーバメート系殺虫剤を例示できる。
【００２９】
また、誘引剤の具体例としては、例えば、動植物エキス、カゼイン、等の蛋白質類、デンプン、小麦粉、米粉、糠、トウモロコシ粉、等の植物粉末；砂糖、蜂蜜、廃糖密、果性果糖、ショ糖、液糖、マルトース、サトウキビ果汁、プロリン、等のアミノ酸類等の甘味成分；トウモロコシ油、ヒマシ油、オリーブ油、大豆油、ナタネ油、ピーナッツ油、等の植物油；その他（３Ｓ，４Ｒ，６Ｅ，１０Ｚ）−３，４，７，１１−テトラメチル−トリデカ−６，１０−ジエナール、（ｚ）−９−ヘキサデセナール、２，５−ジメチルピラジン、８−メチル−２，５−ジメチルピラジン、Ｚ，Ｅ−又はＥ，Ｅ−α−フラネセン、等の道しるべフェロモン、等を例示できる。
【００３０】
必要に応じて配合される添加剤としては、例えばシリカゲル、珪酸、珪藻土、カオリン、タルク、等の増量剤；アイリツシモス、トラガントガム、カラヤガム、カルボキシメチルセルロースナトリウム、メチルセルロース、ヒドロキシプロピルセルロース、等の結合剤；アマランス、エリスロシン、ローズベンガル、アシッドレッド、リソールルビン、レーキレッド、リソールレッド、ローダミン、テトラクロロテトラブロモフルオレセイン、ブリリアントレーキレッド、デイープマルーン、トルイジンレツト、ヘリンドンピンク、フアストアシッドマゲンタ、パーマトンレッド、エオシン、ビオラミン、ブリリアントフアストスカーレット、パーマネントレッド、オイルレッド、フアストレッド、等の色素乃至着色料を例示できる。
【００３１】
遅効性毒餌剤は、遅効性殺虫薬剤に上述した誘引剤および必要に応じて、増量剤、結合剤、着色剤、等を適宜配合して調整される。遅効性殺虫薬剤としては、例えば、カーバリール、クロルデン、ＤＤＴ、ホウ酸、ヒドラメチルノン、リチウムスルフォネート、等の殺虫剤、エクダイソン等の脱皮ホルモン、プリコセン等の抗幼若ホルモン物質、メトプレン等の幼若ホルモンを例示できる。
【００３２】
尚、本実施形態においては、図２に示されるように、収納空間１８ｃは仕切板１８ｄにより２つに分割されていおり、各収納空間には、防除の対象となるアリの種別（例えば、ルリアリおよびイエヒメアリ）に応じて上述した各種薬剤等を適宜配合して個別に調製された毒餌剤２が、それぞれ収納されている。
【００３３】
図１および図２に示されるように、容器本体１１の外周壁１４には、該外周壁１４の周方向に適宜の間隔をおいて、容器本体１１の内部と外部とを連通する複数（本実施形態においては４個）のアリ用の侵入口１５が設けられている。
【００３４】
そして、各侵入口１５の近傍には、挿通口１７と、該挿通口１７から延設された切り欠き溝１６と、がそれぞれ設けられている。
【００３５】
挿通口１７は、侵入口１５の近傍において、容器本体１１の天井壁１２の周縁部および該周縁部に接続している容器本体１１の外周壁１４にまたがって（換言すれば、容器本体１１の天井壁１２および外周壁１４の交差部分である角部に）形成されており、前記角部を略球形状にくりぬかれて形成された貫通孔である。
【００３６】
切り欠き溝１６は、容器本体１１の外周壁１４を略矩形状に切り欠かれて形成されており、挿通口１７から侵入口１５付近まで延設されている。そして、切り欠き溝１６の底部は、侵入口１５に隣接する位置に配置されている。
【００３７】
さらに図４を参照して、食餌体２０は、多数個の部材を連結してなる可撓性を有する紐状または帯状部材であって、本実施形態においては、多数個の略球形状の玉部２１と、隣り合う玉部２１，２１を適宜の間隔を置いて互いに連結している連結部２２と、を熱可塑性エラストマーにより一体に成形された紐状部材である。そして、食餌体２０の表面にはアリ用の誘引剤が含浸若しくは付着されている。
【００３８】
熱可塑性エラストマーとしては、例えば、オレフィン系（ＴＰＯ）熱可塑性エラストマー、スチレン系（ＴＰＳ）熱可塑性エラストマー、エステル系（ＴＰＥＥ）熱可塑性エラストマー、ウレタン系（ＴＰＵ）熱可塑性エラストマー、アミド系（ＴＰＥＡ）熱可塑性エラストマー、塩化ビニル系（ＴＰＶＣ）熱可塑性エラストマー、等が挙げられるが、誘引剤を表面に付着させて保持するには特にスチレン系（ＴＰＳ）熱可塑性エラストマー等（即ち、表面に粘着性があり、腰（コシ）が弱い、または腰（コシ）が無いもの）が好ましい。
【００３９】
誘引剤を食餌体２０の表面に付着させて保持する場合には、粘着性を有する熱可塑性エラストマーを使用するのが望ましい。これによって、誘引剤を食餌体２０に容易に付着させることができ、また、食餌体２０から誘引剤２２の脱落も防止されて、長期間にわたってアリ誘引効果を維持することができる。また、熱可塑性エラストマーの材料に誘引剤を混合した後、食餌体２０成形することによって誘引剤を食餌体２０に保持させるようにしてもよい。
【００４０】
誘引剤の一例としては、廃糖蜜、ショ糖、等の甘味のある糖類が挙げられる。ショ糖を誘引剤として用いる場合は、ショ糖と、当該ショ糖の脱落防止剤としてグリセリン、トリメチルグリシン、または液糖と、を配合した水溶液を食餌体用アリ誘引剤組成物として食餌体２０に含浸若しくは付着させた後、乾燥させて食餌体２０に保持させる。この誘引剤と脱落防止剤との配合量は、水溶液中のショ糖の濃度を１％そしてグリセリンまたはトリメチルグリシンの濃度を０．２％とする。また、脱落防止剤として液糖を用いる場合、誘引剤と脱落防止剤との配合量は、水溶液中のショ糖の濃度を１％そして液糖の濃度を１％とする。
【００４１】
このようにすれば、単にショ糖水溶液を食餌体２０に含浸または付着させた場合と比較して、乾燥後誘引剤が食餌体２０に確実に保持されるので、結晶化した誘引剤が食餌体２０から剥がれ落ちること（即ち、脱落すること）を防止することができる。従って、長期間にわたってアリ誘引効果を維持することができる。
【００４２】
食餌体２０として粘着力の強い熱可塑性エラストマーを用いた場合には、必ずしもショ糖に脱落防止剤を混合させる必要はなく、熱可塑性エラストマーの粘着力のみによって誘引剤を食餌体２０に保持させるようにしてもよい。この場合、誘引剤として、固形物、例えばショ糖をそのまま用いることが可能となる。
【００４３】
尚、食餌体２０は、その誘引剤の量または濃度が、毒餌剤２に含まれる誘引剤の量または濃度よりも少ない（低い）ものであることが望ましい。つまり、食餌体２０に保持される誘引剤の量または濃度は、必要最低限の量または濃度であることが望ましい。更に、食餌体２０は、その誘引剤の量または濃度が、毒餌剤２へ向けて徐々に多く（高く）なるように構成されていることが好ましい。食餌体２０の誘引剤の量または濃度を毒餌剤２に含まれる誘引剤の量または濃度よりも少なく（低く）設定すること、換言すれば、毒餌剤２に含まれる誘引剤の量または濃度を食餌体２０の誘引剤の量または濃度よりも多く（高く）設定することにより、アリ３を毒餌剤２へより効果的に誘き寄せることができる。
【００４４】
食餌体２０を形成する熱可塑性エラストマーは、極めて剛性が低く、即ち腰（コシ）が弱い、または腰（コシ）が無いので、それ自体では、外形形状を維持することができず、配置された場所の形状に沿って自然に変形する。従って、図３に示すような凹凸のある地面や段差のある場所にアリ用毒餌剤容器１０を設置しても、その場所の形状に沿って自然に変形する。また、誘引剤を食餌体２０の表面に付着させて保持するための粘着性のみならず、この食餌体２０を壁等の壁面に這わせることができる位の粘着性を持たせることもできる。これによって、例えば蟻道が容器本体１１の設置面に対して垂直な壁面に形成されている場合にも、壁面に食餌体２０を這わせるように配置することにより、この食餌体２０を介してアリ用毒餌剤容器１０内に多くのアリを誘引することが可能となる。
【００４５】
さて、食餌体２０の連結部２２の直径Ｒ２は、玉部２１の直径Ｒ１よりも小径とされており、即ち、食餌体２０の長手方向に垂直な断面において、連結部２２は玉部２１よりも細く形成されている。
【００４６】
そして、容器本体１１の挿通口１７は、食餌体２０の玉部２１をスムースに挿通可能とするように、食餌体２０の玉部２１よりも大きく形成されており、玉部２１の直径Ｒ１よりも大寸の幅Ｗ２を有している。また、切り欠き溝１６は、食餌体２０の連結部２２の直径Ｒ２よりも広く、且つ、食餌体２０の玉部２１の直径Ｒ１よりも狭い溝幅Ｗ１に形成されている。従って、挿通口１７は、切り欠き溝１６に向かうに従って幅Ｗ２から幅Ｗ１へと次第に狭まるテーパ状に形成されている。
【００４７】
食餌体２０は、上記のように形成された切り欠き溝１６に係止されるが、ここで、図４（ａ）〜（ｃ）を用いて、切り欠き溝１６に食餌体２０を係止する際の手順を説明する。
【００４８】
図４（ａ）に示されるように、食餌体２０の一方の端部（以後、基端部と称する。）２０ａを挿通口１７に挿通させる。この際、挿入口１７は、食餌体２０の玉部２１よりも大きく形成されているので、食餌体２０の基端部２０ａを挿通口１７に容易に挿通させることができる。そして、図４（ｂ）に示されるように、食餌体２０の基端部２０ａが、適宜の長さをもって容器本体１１の内部に収容され、容器本体１１の収納部１８に収納された毒餌剤２の近傍に、もしくは毒餌剤２に接触する位置に達した後、図４（ｃ）に示されるように、食餌体２０の連結部２２を切り欠き溝１６に差し込む。この際、挿通口１７は、切り欠き溝１６に向かうに従って幅Ｗ２から幅Ｗ１へと次第に狭まるテーパ状に形成されているので、食餌体２０の連結部２２はこのテーパ状の挿通口１７により切り欠き溝１６へと案内され、よって、連結部２２を切り欠き溝１６にスムースに差し込むことができる。
【００４９】
そして、切り欠き溝１６の溝幅Ｗ１は、上記したように食餌体２０の連結部２２の直径Ｒ２よりも幅広に、且つ、食餌体２０の玉部２１の直径Ｒ１よりも幅狭とされているので、図４（ｃ）に示されるように、切り欠き溝１６に差し込まれた食餌体２０の連結部２２に隣接している一組の玉部２１，２１が切り欠き溝１６の両側縁部に係合し、食餌体２０は切り欠き溝１６に係止される。尚、切り欠き溝１６は、単純な矩形状として説明したがこれに限定されるものではなく、両側縁部において食餌体２０の玉部２１と係合するものであればよく、例えば、中間部を食餌体２０の玉部２１が抜け落ちない程度に拡開して形成してもよい。この場合、切り欠き溝１６の拡開された部分からもアリ３を容器本体１１内に侵入させることができる利点がある。
【００５０】
上述した切り欠き溝１６への食餌体２０の係止は、容器本体１１と食餌体２０とが例えば互いに分離した状態で包装または別々に包装されている形態を採る場合であるが、容器本体１１に食餌体２０がセットされた状態で包装される形態を採ってもよい。この場合、食餌体２０は、基端部２０ａとは他方の端部（先端部）の突端を容器本体１１の外部に露出させた状態（換言すれば、食餌体２０の大部分が容器本体１１の内部に収容された状態）で上述のように係止されており、使用時には挿通口１７から適宜の長さをもって引き出されて使用される。包装することによって、蒸発等による毒餌剤２および食餌体２０の有効成分の減少を防止できると共に、搬送時の取扱いが容易となる。
【００５１】
また、食餌体２０の連結部２２の長さ（即ち、隣り合う玉部２１，２１の間隔）Ｌは、容器本体１１の外周壁１４の肉厚に応じて適宜設定されるが、例えば、外周壁１４の肉厚よりも大きくし、連結部２２を切り欠き溝１６へ差し込む際に、玉部２１，２１が切り欠き溝１６の両側縁部に摺接しないようにして、連結部２２を切り欠き溝１６へスムースに差し込めるようにしてもよい。また、連結部２２の長さＬを外周壁１４の肉厚よりも小さくすると共に、弾性を有する熱可塑性エラストマーにより食餌体２０を形成するなどの適宜の手段により連結部２２に弾性を付与し、一組の玉部２１，２１が連結部２２の弾性力によって切り欠き溝１６の両側縁部を狭持するようにして、食餌体２０の係止をより確実なものとしてもよい。
【００５２】
次に、上述のように構成されたアリ用毒餌剤容器１０の作用を説明する。
【００５３】
図２に示すように、容器本体１１に溶着されているイージーピール部材１９を剥がして毒餌剤２を容器本体１１内で露出させる。そして、上述のように、食餌体２０の基端部２０ａが毒餌剤２の近傍もしくは接触するように、容器本体１１の切り欠き溝１６に食餌体２０を係止し、容器本体１１の外部に露出している食餌体２０をアリ５の活動場所（図３に示す例においては、凹凸のある地面）に配置しながらアリ用毒餌剤容器１０を設置する。この際、食餌体２０は熱可塑性エラストマーにより紐状に形成されていて柔軟性を有するので、配置箇所の形状に沿って自然に変形し、表面に密着した状態で配置される。
【００５４】
アリ３は、食餌体２０に保持されている誘引剤に誘引されて集まり、食餌体２０に沿って容器本体１１まで歩いていくと、その後は侵入口１５を通って容器本体１１内の毒餌剤２へと導かれる。この際、食餌体２０に保持されている誘引剤の濃度よりも毒餌剤２に含まれる誘引剤の濃度を濃くしておくことが望ましい。これにより、食餌体２０に沿って容器本体１１まで近づいたアリ３を侵入口１５へ自然に誘導し、容器本体１１内の毒餌剤２へと導くことが可能となる。
【００５５】
容器本体１１内に侵入したアリ３は、毒餌剤２を見つけて食べ、一部を巣に持ち帰る。  このときの毒餌剤２は遅効性毒餌剤であるので、アリ３が巣に毒餌剤２を持ち帰った後に毒効力が効くことになる。よって、巣に持ち込んだ毒餌剤２により、巣にいるその他多数のアリを駆除することができる。
【００５６】
尚、アリ用毒餌剤容器１０は、アリ３の活動場所に無作為に置かれた場合にも、アリ３を食餌体２０により誘引して容器本体１１内の毒餌剤２へと導くことが可能であるが、アリ３の蟻道や巣の場所が判明している際には、図５に示されるように使用されてもよい。
【００５７】
図５（ａ）および（ｂ）には、アリ３の巣の位置が判明している際の、アリ用毒餌剤容器１０の使用方法の一例が示されている。
【００５８】
図５（ａ）に示されるアリ用毒餌剤容器１０の使用方法は、１つのアリ用毒餌剤容器１０を用い、切り欠き溝１６にそれぞれ係止された２つの食餌体２０，２０と容器本体１１とでアリ３の巣４を取り囲むように、食餌体２０，２０を配置したものである。そして、容器本体１１と２つの食餌体２０，２０とで囲まれた領域内に、少なくとも１つの侵入口１５が開口している。また、図５（ｂ）に示されるアリ用毒餌剤容器１０の使用方法は、２つのアリ用毒餌剤容器１０，１０´を用いており、２つの容器本体１１，１１´と２つの食餌体２０，２０とでアリ３の巣４を取り囲むように、容器本体１１，１１´および食餌体２０，２０を配置し、２つの容器本体１１，１１´を互いに連結するように、各食餌体２０の一方の端部を容器本体１１の切り欠き溝１６に係止し、他方の端部を容器本体１１´の切り欠き溝１６´に係止したものである。そして、２つの容器本体１１，１１´と２つの食餌体２０，２０とで囲まれた領域内に、少なくとも１つの侵入口１５が開口している。
【００５９】
上述のようなアリ用毒餌剤容器１０の使用方法においては、多数のアリ３が食餌体２０に誘引されて巣４より出てきて、容器本体１１と食餌体２０とで囲まれた領域内はアリ３でひしめき合い、行き場を無くしたアリ３は、食餌体２０に沿って侵入口１５へと誘導され、侵入口１５を介して容器本体１１の内部に侵入し、容器本体１１の内部に収納された毒餌剤２を食べ、駆除される。このようにして、巣４の周りでうじゃうじゃと動き回る不快なアリ３を、容器本体１１の内部に追い込み、完全に駆除することができる。
【００６０】
以上説明したように本実施形態のアリ用毒餌剤容器１０によれば、容器本体１１の外部から毒餌剤２へアリ３を誘導するための食餌体２０は、容器本体１１に設けられた挿通口１７を通して基端部２０ａを容器本体内１１に収容された状態で、挿通口１７から侵入口１５付近まで延設された切り欠き溝１６に差し込まれて係止され、容器本体１１に取り付けられる。そして、挿通口１７は、切り欠き溝１６に向かうに従って幅Ｗ２から幅Ｗ１へと次第に狭まるテーパ状に形成されているので、食餌体２０を挿通口１７に挿通して切り欠き溝１６にスムースに差し込むことができ、食餌体２０を容器本体１１に容易に取り付けることができる。
【００６１】
また、食餌体２０の取り付け位置が、アリ３の侵入口１５ではなく侵入口１５付近に設けられた切り欠き溝１６であるので、食餌体２０により侵入口１５の一部がふさがれてしまうことがなく、侵入口１５を介したアリ３の出入りを阻害することがない。これにより、食餌体２０によって誘引されたアリ３を確実に侵入口１５に誘導し、侵入口１５を介して容器本体１１内に侵入させることができるとともに、侵入口１５を介して容器本体１１内から毒餌剤２を外部へ容易に持ち出させることができ、より多くのアリ３を効率良く誘引して駆除することができる。
【００６２】
また、食餌体２０が可撓性を有する紐状部材であるので、容易に変形させることができる。従って、アリ用毒餌剤容器１０の設置場所が、砂利が小石が多い場所、岩場、枯草が多く落ちている場所、段差のある場所、凹凸のある地面、等であっても、食餌体２０が配置された箇所の形状（起伏）に沿って食餌体２０自身が自然に変形し、配置箇所の表面に密着させて配置することができる。これにより、配置箇所の表面を活動しているアリ３が食餌体２０に接触する頻度が高くなり、効率的にアリ３を容器本体１１に誘引することができる。
【００６３】
また、食餌体２０が多数個の玉部２１を連結してなり、隣り合う玉部２１，２１を連結している連結部２２が食餌体２０の長手方向に垂直な断面において玉部２１よりも細く形成されており、さらに、切り欠き溝１６が食餌体２０の連結部２２の太さよりも幅広に且つ食餌体２０の玉部２１の太さよりも幅狭に形成されているので、連結部２２を切り欠き溝１６にスムースに差し込むことができると共に、切り欠き溝１６に差し込まれた連結部２２に隣接している玉部２１が切り欠き溝１６の両側縁部に係合して食餌体２０の抜け止めがなされる。これにより、食餌体２０を容器本体に容易に且つ確実に取り付けることができる。さらに、任意の箇所の連結部２２を切り欠き溝１６に差し込むことにより、容器本体１１の外部に配置される食餌体２０の長さをアリ用毒餌剤容器１０の設置場所に応じて適宜変更することができる。
【００６４】
また、挿通口１７が、容器本体１１の天井壁１２と該天井壁１２の周縁部に接続している容器本体１１の外周壁１４とにまたがって形成されているので、容器本体１１が予め設置された状態においても、食餌体２０を挿通口１７に容易に挿通させることができ、これにより、食餌体２０を容器本体１１に容易に取り付けることができる。特に、食餌体２０は熱可塑性エラストマーにより紐状に形成されており可撓性を有するので、挿通口１７の上方において食餌体２０を垂らしながら挿通させることができ、有効である。
【００６５】
また、侵入口１５が容器本体１１に複数設けられており、切り欠き溝１６が複数の侵入口１５付近にそれぞれ設けられているので、食餌体２０を使用場面に応じて、必要なとき、必要な箇所に、簡便に取り付けることができる。
【００６６】
次に、図６から図１１を参照して、上述したアリ用毒餌剤容器１０の変形例を説明する。
【００６７】
図６に示されるアリ用毒餌剤容器３０は、切り欠き溝１６の細部を、上述したアリ用毒餌剤容器１０と異にするのみであり、共通する部材については同一の符号を付すことにより説明を省略する。
【００６８】
図６に示されるように、アリ用毒餌剤３０の切り欠き溝１６の中間部には一対の係止爪３１，３１が設けられている。この係止爪３１，３１は互いに近接するように切り欠き溝１６の両側縁部から突設されている。そして、係止爪３１，３１の上部は、切り欠き溝１６の底部に向けて次第に互いの距離を狭めるように傾斜して形成されており、係止爪３１，３１の下部は、互いの間に食餌体２０の連結部２２の直径Ｒ２よりも僅かに狭い隙間をおくように形成されている。
【００６９】
このように構成されたアリ用毒餌剤容器３０においては、切り欠き溝１６に差し込まれた食餌体２０の連結部２２が切り欠き溝１６から不用意にはずれることがなく、食餌体２０が切り欠き溝１６から抜け落ちることを確実に防止することができ、食餌体２０を容器本体１１に容易に且つ確実に取り付けることができる。
【００７０】
尚、図６に示されるアリ用毒餌剤容器３０において、侵入口１５は、切り欠き溝１６の片側に設けられているが、これに限定されるものではなく、切り欠き溝１６の両側に設けられ得る（換言すれば、容器本体１１の側壁１４に一組の侵入口１５，１５が近接して形成され、切り欠き溝１６が、この一組侵入口１５，１５の間に伸びるように形成され得る）。
【００７１】
図７に示されるアリ用毒餌剤容器４０は、切り欠き溝４６および挿通口４７を、上述したアリ用毒餌剤容器１０の切り欠き溝１６および挿通口１７と異にするのみであり、共通する部材については同一の符号を付すことにより説明を省略する。
【００７２】
図７に示されるように、アリ用毒餌剤容器４０の挿通口４７は、侵入口１５の近傍において容器本体１１の底壁１３の周縁部に設けられており、該底壁１３を貫通して略円形状に形成されている。そして、切り欠き溝４６は、挿通口４７に接続し且つ容器本体１１の天井壁に向けて伸びる基部４６ａと、基部４６ａから侵入口１５に向けて侵入口１５に隣接する位置まで伸びる中間部４６ｂと、中間部４６ｂから容器本体１１の底壁１３に向けて伸びる先端部４６ｃとから構成され、全体として略コ字形状に形成されている。
【００７３】
挿通口４７は、食餌体２０の玉部２１をスムースに挿通可能とするように、食餌体２０の玉部２１よりも大径に形成されており、玉部２１の直径Ｒ１よりも大寸の幅（直径）Ｗ４を有している。また、切り欠き溝４６（基部４６ａ、中間部４６ｂ、先端部４６ｃ）は、食餌体２０の連結部２２の直径Ｒ２よりも広く、且つ、食餌体２０の玉部２１の直径Ｒ１よりも狭い溝幅Ｗ３に形成されている。従って、挿通口４７は、切り欠き溝４６に向かうに従って幅Ｗ４から幅Ｗ３へと次第に狭まるテーパ状に形成されている。
【００７４】
食餌体２０は、アリ用毒餌剤容器４０が設置される前に、挿通口４７を通して基端部２０ａを容器本体１１内に収容され、連結部２２を基部４６ａおよび中間部４６ｂを介して先端部４６ｃに差し込まれた状態で、切り欠き溝４６に予め係止される。
【００７５】
このように構成されたアリ用毒餌剤容器４０においては、アリ用毒餌剤容器４０が設置された後には挿通口４７は設置面により塞がれるので、食餌体２０が切り欠き溝４６から抜け落ちることを確実に防止することができ、食餌体２０を容器本体１１に容易に且つ確実に取り付けることができる。
【００７６】
図８に示されるアリ用毒餌剤容器５０は、侵入口５５、切り欠き溝５６、および挿通口５７を、上述したアリ用毒餌剤容器１０の侵入口１５、切り欠き溝１６、および挿通口１７と異にするのみであり、共通する部材については同一の符号を付すことにより説明を省略する。
【００７７】
図８に示されるように、アリ用毒餌剤容器５０は、容器本体１１の外周壁１４に、近接して形成された一組の侵入口５５，５５を有している。挿通口５７は、この一組の侵入口５５，５５を、それぞれ上方端部において互いに連結するように外周壁１４に設けられている。切り欠き溝５６は、挿通口５７から延設され、一組の侵入口５５，５５の間に（即ち、各侵入口５５に隣接する位置に）伸びている。
【００７８】
挿通口５７は、食餌体２０の玉部２１をスムースに挿通可能とするように、食餌体２０の玉部２１よりも大きく形成されている。また、切り欠き溝５６は、食餌体２０の連結部２２の直径Ｒ２よりも広く、且つ、食餌体２０の玉部２１の直径Ｒ１よりも狭い溝幅Ｗ５に形成されており、また、挿通口５７の切り欠き溝５６との接続箇所５８は、切り欠き溝５６に向かうに従って幅Ｗ５へと次第に狭まるテーパ状に形成されている。
【００７９】
食餌体２０は、挿通口５７を通して基端部２０ａを容器本体１１内に収容され、連結部２２を切り欠き溝５６に差し込まれた状態で切り欠き溝４６に係止されている。
【００８０】
このように構成されたアリ用毒餌剤容器５０においては、食餌体２０を係止している切り欠き溝５６の両側に隣接して侵入口５５，５５が設けられているので、食餌体２０に沿って容器本体１１へ誘導されたアリ３は、食餌体２０の左右いずれにおいても侵入口５５を介して容器本体１１内に侵入することができ、より多くのアリ３を効率良く容器本体１１内に誘引して駆除することができる。
【００８１】
図９に示されるアリ用毒餌剤容器６０は、食餌体２０を挿通される挿通口をアリ用の侵入口６５と兼用し、切り欠き溝６６を侵入口６５から延設したものであり、その他のアリ用毒餌材容器１０と共通する部材については同一の符号を付すことにより説明を省略する。
【００８２】
図９に示されるように、アリ用毒餌剤容器６０において、食餌体２０を挿通される挿通口は、侵入口６５と兼用されている。侵入口６５は、容器本体１１の外周壁１４の周方向に適宜の間隔をおいて複数設けられている。そして、切り欠き溝６６は、侵入口６５の側部から容器本体１１の天井壁１２と略並行に伸びる基部６６ａと、基部６６ａから容器本体１１の底壁１３に向けて伸びる先端部６６ｂとから構成されている。
【００８３】
侵入口６５は、食餌体２０の玉部２１をスムースに挿通可能とするように、食餌体２０の玉部２１よりも大きく形成されている。また、切り欠き溝６６（基部６６ａ、先端部６６ｂ）は、食餌体２０の連結部２２の直径Ｒ２よりも広く、且つ、食餌体２０の玉部２１の直径Ｒ１よりも狭い溝幅Ｗ６に形成されている。そして、侵入口６５の切り欠き溝６６との接続箇所６８は、切り欠き溝６６に向かうに従って幅Ｗ６へと次第に狭まるテーパ状に形成されている。
【００８４】
食餌体２０は、侵入口６５を通して基端部２０ａを容器本体１１内に収容され、連結部２２を切り欠き溝６６の基部６６ａを介して先端部６６ｂに差し込まれた状態で、切り欠き溝６６に係止される。
【００８５】
このように構成されたアリ用毒餌剤容器６０においては、食餌体２０の基端部２０ａを容器本体１１の内部に挿入するための挿通口をアリ用の侵入口６５と兼用しているので、容器本体１１に別途挿通口を形成するための加工を必要とせず、容器本体１１の構造を簡略化して、アリ用毒餌材容器６０の製造コストを削減することができる。
【００８６】
図１０に示されるアリ用毒餌剤容器７０は、挿通口１７に第２の切り欠き溝７６を追加した構成であり、上述したアリ用毒餌剤容器１０と共通する部材については同一の符号を付すことにより説明を省略する。
【００８７】
図１０に示されるように、アリ用毒餌材容器７０は、容器本体１１の外周壁１４を略矩形状に切り欠かれて形成された切り欠き溝１６、および、容器本体１１の天井壁１２を略矩形状に切り欠かれて形成された第２の切り欠き溝７６を有しており、切り欠き溝１６および第２の切り欠き溝７６はいずれも挿通口１７から延設されている。尚、第２の切り欠き溝７６は、図１０において１つの挿通口１７に形成されているが、各挿通口１７にそれぞれ設けられ得る。
【００８８】
そして、第２の切り欠き溝７６は、切り欠き溝１６と同様に溝幅Ｗ１に形成されており、従って、挿通口１７は、第２の切り欠き溝７６に向かうに従って幅Ｗ２から幅Ｗ１へと次第に狭まるテーパ状に形成されている。この第２の切り欠き溝７６にも上記した誘引剤を保持した食餌体８０が差し込まれて係止される。食餌体８０により容器本体１１へと誘導されたアリ３は、挿通口１７（および侵入口１５）を介して容器本体１１内へ侵入し、毒餌剤２へと導かれる。
【００８９】
上述したアリ用毒餌材容器７０の好適な使用方法の一例として、図１０に示されるように、第２の切り欠き溝７６に係止された第２の食餌体８０は、容器本体１１の設置面９１に対して垂直な立壁面９２に沿って配置される。第２の食餌体８０としては、外力によって変形自在で且つ変形後の形状を維持することができる材料を好適に用いることができ、例えば、図１１に示されるように、２本の針金８１の間に複数の繊維材８２を挟みながら当該針金８１をツイストし（捩り）、それにより繊維材８２が針金８１に固着された所謂モール材に上記した誘引剤８３を保持させたものを用いることができる。また、上述した可撓性の食餌体２０に、例えば粘着剤を塗布するなどの適宜の手段により粘着性を付与して、食餌体２０を立壁面９２に貼着するようにしてもよい。
【００９０】
このように構成されたアリ用毒餌剤容器７０においては、容器本体１１の天井壁１２に形成された第２の切り欠き溝７６により、食餌体２０，８０の容器本体１１への取り付け自由度が向上し、アリ３の活動状況に応じて、食餌体を、必要なとき、必要な箇所に、簡便に取り付けることができる。これによって、アリ３の様々な活動場所に応じてアリ用毒餌剤容器７０を配置してアリ３を食餌体２０，８０によって誘引することが可能となり、アリ３を高い確率でアリ用毒餌剤容器７０内に誘導し、毒餌剤２に到達させることができる。
【００９１】
尚、本発明は、前述した実施形態に限定されるものではなく、適宜、変形、改良、組み合わせ、等が可能である。その他、前述した実施形態や変形例における各構成要素の材質、形状、寸法、数値、形態、数、配置箇所、等は本発明を達成できるものであれば任意であり、限定されない。
【００９２】
例えば、食餌体に関して、上述した各実施形態においては、連結される多数個の部材を略球形状の玉部２１とし、この多数個の玉部２１と隣り合う玉部２１，２１を連結する連結部２２とを熱可塑性エラストマーにより一体に成形した紐状部材として説明したが、これに限定されるものではなく、誘引剤を保持可能な多数個の多孔質ビーズや熱可塑性エラストマーで形成されたビーズ状部材を、可撓性を有する紐等で数珠状に連結したものであってもよい。尚、玉部２１は切り欠き溝１６に係合し得るかぎり少なくとも１つあればよい。
【００９３】
また、連結される多数個の部材は略球形状に限定されるものではなく、半球形状、角柱形状、円筒形状などであってもよく、さらに、食餌体の末端の形状を略Ｔ字形状に（即ち、多数個の部材のうち食餌体の末端に配置される部材の形状を矩形板状に）形成し、切り欠き溝の両側縁部との係合代を大きくして、食餌体の係止をより確実なものとしてもよい。
【図面の簡単な説明】
【００９４】
【図１】アリ用毒餌剤容器の外観斜視図である。
【図２】食餌体を取り付けられた状態でのアリ用毒餌剤容器の横断面図である。
【図３】図２に示すアリ用毒餌剤容器のIII−III矢視縦断面図である。
【図４】図１に示す点線円IVで囲まれた部分の拡大斜視図であって、容器本体への食餌体の取り付け方を説明するための図である。
【図５】図１に示すアリ用毒餌剤容器の使用方法の一例を説明するための図である。
【図６】図１に示すアリ用毒餌剤容器の変形例の要部拡大図である。
【図７】図１に示すアリ用毒餌剤容器の変形例の要部拡大図である。
【図８】図１に示すアリ用毒餌剤容器の変形例の要部拡大図である。
【図９】図１に示すアリ用毒餌剤容器の変形例の要部拡大図である。
【図１０】図１に示すアリ用毒餌剤容器の変形例の外観斜視図である。
【図１１】図１０に示す食餌体の断面図である。
【図１２】従来のシロアリ用毒餌剤容器の外観斜視図である。
【符号の説明】
【００９５】
２        毒餌剤
３        アリ
１０      アリ用毒餌剤容器
１１      容器本体
１２      天井壁
１４      外周壁
１５      侵入口
１６      切り欠き溝
１７      挿通口
１８      収納部
２０      食餌体
２１      玉部（多数個の部材）
２２      連結部
【図１】
2006094745.tif 000003
【図２】
2006094745.tif 000004
【図３】
2006094745.tif 000005
【図４】
2006094745.tif 000006
【図５】
2006094745.tif 000007
【図６】
2006094745.tif 000008
【図７】
2006094745.tif 000009
【図８】
2006094745.tif 000010
【図９】
2006094745.tif 000011
【図１０】
2006094745.tif 000012
【図１１】
2006094745.tif 000013
【図１２】
2006094745.tif 000014